(57)【要約】      （修正有）【課題】切り替え可能なイコライゼーションプリセットが設けられたオーディオヘッドセットのサウンドプリセットの作成、共有、および使用の可能性を豊かにする。【解決手段】オーディオヘッドセット２００、４００であって、ヘッドセットに共通しているプリセットに応答してオーディオ処理オペレーションを適用することができるオーディオヘッドセットと、オーディオフロー生成手段が設けられたスマート端末３００、５００と、適用されるべきプリセットをヘッドセットに送信するための通信手段と、を有する。プリセットサーバ１００は、作品に関連付けられているプリセットを記憶する。特定の端末３００は、プリセットを生成して、それらのプリセットをサーバに送信することができ、他の端末５００は、プリセットを対応する作品に対してそれらの作品の再生時に適用するため、プリセットを収集する。【選択図】図１
2016071375.tif 000002
【特許請求の範囲】
【請求項１】
オーディオヘッドセットを用いたサウンド再生のシステムであって、
オーディオヘッドセット（２００、４００）のセットであり、すべての当該ヘッドセットに共通している再生プリセットに応答してサウンドプロセッサを用いて処理オペレーションを適用することによってサウンド再生を実行するように適合されているオーディオヘッドセット（２００、４００）のセットと、
オーディオフローを生成するための手段が設けられたスマート端末（３００、５００）のセットと、
前記スマート端末と、前記関連付けられているオーディオヘッドセットとの間における通信手段であり、オーディオフロー、ならびに前記フローに適用されるべき再生プリセットを前記スマート端末からこれらのオーディオヘッドセットに送信するように適合されている通信手段と、
作品にそれぞれ関連付けられている再生プリセットを記憶するように適合されているプリセットサーバ（１００）と、
前記サーバと前記スマート端末との間におけるネットワーク通信手段（Ｒ）と、
少なくとも特定のスマート端末（５００）に設けられた手段であり、オーディオフローを放出すること、およびそれらのオーディオフローをそれらの再生のために前記関連付けられているオーディオヘッドセットに送信することをそれらのスマート端末（５００）が担当している対象の作品に関連付けられている再生プリセットを前記サーバから収集するための手段と、
を備え、
前記通信手段はまた、前記オーディオフローに関連付けられている特徴的なマーカを前記スマート端末から前記オーディオヘッドセットに送信するように適合されており、
ユーザインターフェースを介したアクションに応答して、作品に関連付けられている再生プリセットを生成するための、およびそれらの再生プリセットを前記サーバに送信するための手段が、少なくとも特定のスマート端末（３００）に設けられており、
再生プリセットデータベース（４６０）を含むメモリと、前記対応する再生プリセットを見つけ出すために、オーディオフローに関連付けられているスマート端末（５００）から受信された前記特徴的なマーカからデータベース問合せ要求を形成するための手段（４５０）とが、各オーディオヘッドセット（４００）に設けられている
ことを特徴とするシステム。
【請求項２】
前記特徴的なマーカは、トラック、アルバム、アーティスト、スタイルのうちの少なくとも１つの識別のマーカである、請求項１に記載のシステム。
【請求項３】
オーディオヘッドセット（４００）とスマート端末（５００）とから形成されているセットであって、
前記スマート端末は、リンクを通じて前記オーディオヘッドセットにオーディオフローを送信するように適合されており、
前記オーディオヘッドセットは、
前記オーディオフローに関連付けられている特徴的なマーカに応答して再生されるべき前記オーディオフローにサウンド処理を適用するように適合されているプロセッサ（４４４）と、
プリセットを格納するように適合されているメモリ（４６０）と、
前記メモリ内で読み取りを行って、受信された前記特徴的なマーカに応じて選ばれたプリセットを前記プロセッサに適用するための手段（４５０）と、を有し、
前記スマート端末はまた、前記オーディオフローに関連付けられている特徴的なマーカを前記オーディオヘッドセットに送信するように適合されており、
前記オーディオヘッドセットは、前記メモリ内で読み取りを行って、前記スマート端末から受信された前記特徴的なマーカに応じて前記メモリ内で選ばれたプリセットを前記プロセッサに適用するための手段（４５０）を有する
ことを特徴とするセット。
【請求項４】
前記特徴的なマーカは、前記スマート端末（５００）においてプレイされるように適合されているオーディオファイルに関連付けられているメタデータである、請求項３に記載のセット。
【請求項５】
前記スマート端末は、プリセットサーバからネットワークを介して受信された最近の再生プリセットから、前記オーディオヘッドセット内に記憶されている前記再生プリセットを更新するための手段（５５０）を有する、請求項３に記載のセット。
【請求項６】
ソースからオーディオフローを受信するための手段と、
再生プリセットを格納するように適合されているメモリ（４６０）と、
プリセットに応答して、再生されるべき前記オーディオフローにサウンド処理を適用するように適合されているプロセッサ（４４４）と、
前記フローに特徴的なマーカを前記オーディオフローに関連付けて受信するための手段と、
前記メモリ内で読み取りを行って、受信された前記特徴的なマーカに応じて選ばれたプリセットを前記プロセッサに適用するための手段（４５０）と、
を備えたことを特徴とするオーディオヘッドセット（４００）。
【請求項７】
前記特徴的なマーカが、スマート端末によってプレイされるように適合されているオーディオファイルに関連付けられているメタデータである、請求項６に記載のオーディオヘッドセット。
【請求項８】
スマート端末から前記プリセットを更新するための手段（４５０、４６０）をさらに備えた、請求項６に記載のオーディオヘッドセット。
【請求項９】
ａ）オーディオフローを生成するように適合されているオーディオプレーヤ（５１０）と、
ｂ）前記オーディオフローをそこに適用するための、再生プリセットを格納することを担当しているサウンド再生デバイスとの接続手段（５３０、５４０）と、
ｃ）ネットワーク通信手段（Ｒ）と、
ｄ）オーディオフローの前記生成中に再生プリセットを作成および／または選択するための手段（５５０）と、
ｅ）前記作成および／または選択されたプリセットを、前記再生プリセットが作成および／または選択された対象の前記オーディオフローに特徴的なマーカに関連付けてサーバに送信するための手段と、
を備えたことを特徴とするスマート端末。
【請求項１０】
オーディオヘッドセットによってオーディオフローを再生する方法において、
ａ）前記オーディオヘッドセット（４００）によって、再生されるべきオーディオフローに特徴的なマーカを受信するステップと、
ｂ）前記オーディオフローに関連付けられているプリセットを前記特徴的なマーカから前記オーディオヘッドセットのメモリ（４６０）内に収集するステップと、
ｃ）前記プリセットをオーディオ処理デバイス（４４４）に適用するステップと、
ｄ）適用された前記プリセットに応じて前記オーディオ処理デバイスによって処理された前記オーディオフローを再生するステップと、
を備えたことを特徴とする方法。
【発明の詳細な説明】
【技術分野】
【０００１】
本発明は、一般にはオーディオヘッドセットに関し、より詳細には、そのようなヘッドセットを有するサウンド再生のカスタマイゼーションに関する。
【背景技術】
【０００２】
そのようなヘッドセットは、充電式バッテリーと、たとえば、無線による（典型的には、ブルートゥース（Ｂｌｕｅｔｏｏｔｈ）仕様（Ｂｌｕｅｔｏｏｔｈ  ＳＩＧの登録商標）による）、または赤外線によるワイヤレス受信回路と、を含み、そのワイヤレス受信回路は、そのようなチャネルによって伝達されたオーディオ信号をデコードして、トランスデューサに適用されるアナログサウンド信号へと変換するために、それらのオーディオ信号を受信するように適合されている。最新のオーディオヘッドセットは、イコライゼーションを実行すること、サウンドエフェクトを適用すること、再生のボリュームを動的にコントロールすること、周辺ノイズを中和することなどを行うように意図されているオーディオ処理電子回路も含む。
【０００３】
一般に、イコライゼーションプリセットおよびサウンドエフェクトプリセットは、典型的にはブルートゥース通信プロトコルに従ってワイヤレスリンクを通じてオーディオヘッドセットと通信するスマートフォンなどのリモートデバイス上に配置されているインターフェースを用いたコントロールを通じて、ユーザの選択で適用される。Ｚｉｋ（登録商標）という商品名のもとで出願人の会社によって市販されているヘッドセットは、そのような機能を有している。
【０００４】
類似の領域においては、米国特許出願公開第２０１４／００７３４２９  Ａ１号は、ワイヤレスリンクを通じてビデオゲームコンソールとインターフェースで接続された、かつ、メモリ内に保持されているいくつかのプリセットを統合しているシグナルプロセッサが設けられたヘッドセットについて記載している。これらのプリセットは、場合によっては、ゲームコンソールを介してリモートサイトからダウンロードされたプリセットであることが可能である。それらのプリセットは、ヘッドセットのイヤフォンに統合されているスクリーン上に示される選択ボタンおよびメニューを用いてユーザの意思で選択されることが可能である。
【発明の概要】
【０００５】
本発明は、切り替え可能なイコライゼーションプリセットが設けられたオーディオヘッドセットのサウンドプリセットの作成、共有、および使用の可能性を豊かにすることを目的としている。
【０００６】
詳細には、本発明は、所与の作品、典型的には所与のアーティスト（作詞家、作曲家、演奏者、アレンジャーなど）の作品が、そのアーティストによって希望されたとおりの再生の状況で公衆によって聴かれることをそのアーティストまたは指示対象が提案または強制できることを可能にすることを目的としている。
【０００７】
本発明はまた、アーティストの趣旨に忠実に作品の再生を可能にすること、または１人もしくは複数のアーティストもしくはその分野におけるその他の指示対象によって提案されたプリセットのグループの中から選ばれる再生プリセットを選択することを目的としている。
【０００８】
したがって本発明は、第１の態様によれば、オーディオヘッドセットを用いたサウンド再生のシステムであって、上述の米国特許出願公開第２０１４／００７３４２９  Ａ１号によって開示されているような、それ自体知られている様式で、
−  オーディオヘッドセットのセットであり、それらのすべてのヘッドセットに共通している再生プリセットに応答してサウンドプロセッサを用いて処理オペレーションを適用することによってサウンド再生を実行するように適合されているオーディオヘッドセットのセットと、
−  オーディオフローを生成するための手段を備えたスマート端末のセットと、
−  スマート端末と、関連付けられているオーディオヘッドセットとの間における通信手段であり、オーディオフロー、ならびに前記フローに適用されるべき再生プリセットをスマート端末からこれらのオーディオヘッドセットに送信するように適合されている通信手段と、
−  作品にそれぞれ関連付けられている再生プリセットを記憶するように適合されているプリセットサーバと、
−  前記サーバと前記スマート端末との間におけるネットワーク通信手段と、
−  少なくとも特定のスマート端末内に設けられた手段であり、オーディオフローを放出すること、およびそれらのオーディオフローをそれらの再生のために、関連付けられているオーディオヘッドセットに送信することをそれらのスマート端末が担当している対象の作品に関連付けられている再生プリセットをサーバから収集するための手段と、
を有するシステムを提示する。
【０００９】
本発明の特徴として、
−  通信手段はまた、オーディオフローに関連付けられている特徴的なマーカをスマート端末からオーディオヘッドセットに送信するように適合されており、
−  ユーザインターフェースを介したアクションに応答して、作品に関連付けられている再生プリセットを生成するための、およびそれらの再生プリセットをサーバに送信するための手段が、少なくとも特定のスマート端末に設けられており、
−  再生プリセットデータベースを含むメモリと、対応する再生プリセットを見つけ出すために、オーディオフローに関連付けられているスマート端末（５００）から受信された前記特徴的なマーカからデータベース問合せ要求を形成するための手段（４５０）とが、各オーディオヘッドセットに設けられている。
【００１０】
有利には、特徴的なマーカは、トラック、アルバム、アーティスト、スタイルのうちの少なくとも１つの識別のマーカである。
【００１１】
本発明は、第２の態様によれば、オーディオヘッドセットとスマート端末とから形成されているセットを提示し、スマート端末は、リンクを通じてオーディオヘッドセットにオーディオフローを送信するように適合されている。オーディオヘッドセットは、オーディオフローに関連付けられている特徴的なマーカに応答して、再生されることになるオーディオフローにサウンド処理を適用するように適合されているプロセッサと、プリセットを格納するように適合されているメモリと、そのメモリ内で読み取りを行って、受信された特徴的なマーカに応じて選ばれたプリセットを前記プロセッサに適用するための手段（４５０）と、を含む。
【００１２】
本発明の特徴として、スマート端末はまた、前記オーディオフローに関連付けられている特徴的なマーカをオーディオヘッドセットに送信するように適合されており、オーディオヘッドセットは、メモリ内で読み取りを行って、スマート端末から受信された特徴的なマーカに応じてメモリ内で選ばれたプリセットをプロセッサに適用するための手段を含む。
【００１３】
好ましいが任意選択である実施態様においては、前記特徴的なマーカは、スマート端末においてプレイされるように適合されているオーディオファイルに関連付けられているメタデータである。
【００１４】
スマート端末が、プリセットサーバからネットワークを介して受信された最近の再生プリセットから、オーディオヘッドセット内に記憶されている再生プリセットを更新するための手段を含むことは、さらに有利である。
【００１５】
本発明はまた、ソースからオーディオフローを受信するための手段と、再生プリセットを格納するように適合されているメモリと、プリセットに応答して、再生されるべきオーディオフローにサウンド処理を適用するように適合されているプロセッサと、を含むオーディオヘッドセットを目的としている。
【００１６】
本発明の特徴として、このヘッドセットは、前記フローに特徴的なマーカをオーディオフローに関連付けて受信するための手段と、メモリ内で読み取りを行って、受信された特徴的なマーカに応じて選ばれたプリセットを前記プロセッサに適用するための手段と、をさらに含む。
【００１７】
有利であるが任意選択であるさらなる特徴によれば、このヘッドセットは、スマート端末から前記プリセットを更新するための手段をさらに含む。
【００１８】
本発明の別の態様は、オーディオフローを生成するように適合されているオーディオプレーヤと、オーディオフローをそこに適用するための、再生プリセットを格納することを担当しているサウンド再生デバイスとの接続手段と、ネットワーク通信手段と、を含むスマート端末にある。
【００１９】
本発明の特徴として、このスマート端末は、オーディオフローの生成中に再生プリセットを作成および／または選択するための手段と、作成および／または選択されたプリセットを、前記再生プリセットが作成および／または選択された対象のオーディオフローの特徴的なマーカに関連付けてサーバに送信するための手段と、をさらに含む。
【００２０】
最後に、本発明は、オーディオヘッドセットによってオーディオフローを再生する方法において、
ａ）オーディオヘッドセットによって、再生されるべきオーディオフローに特徴的なマーカを受信するステップと、
ｂ）前記オーディオフローに関連付けられているプリセットを前記特徴的なマーカからオーディオヘッドセットのメモリ内に収集するステップと、
ｃ）プリセットをオーディオ処理デバイスに適用するステップと、
ｄ）適用されたプリセットに応じてオーディオ処理デバイスによって処理されたオーディオフローを再生するステップと、を含むことを特徴とする方法を提示する。
【００２１】
次いで、本発明の好ましい一実施形態が、非限定的な例として、添付の図面を参照しながら説明されることになり、図面においては、同じ参照番号は、それらの図を通じて同じまたは機能的に同様の要素を示している。
【図面の簡単な説明】
【００２２】
【図１】本発明の方法を実施することを担当するシステムのさまざまなコンポーネントを概略的に示す図である。
【図２】本発明の教示による、ユーザのスマートフォンおよびオーディオヘッドセットによって実施されるさまざまな機能を示すブロック図である。
【発明を実施するための形態】
【００２３】
図面を参照すると、オーディオプリセット共有サーバ１００と、アーティストオーディオヘッドセット２００と、アーティストスマート端末またはスマートフォン３００と、ユーザオーディオヘッドセット４００と、ユーザスマート端末またはスマートフォン５００と、を含むシステムが示されている。
【００２４】
以降で説明されるように、スマート端末３００は、たとえばブルートゥースプロトコルに従ってワイヤレスリンクを通じてアーティストヘッドセット２００と通信する。同様に、スマート端末５００は、同じタイプのプロトコルに従ってワイヤレスリンクを通じてユーザヘッドセット３００と通信する。
【００２５】
その上、端末３００および５００は、たとえばＴＣＰ／ＩＰプロトコルに従ってサーバ１００との通信セッションを確立するために、インターネットなどのネットワークＲを通じた通信の機能を備えている。
【００２６】
最初に、図１のシステムの機能について、概略的に説明する。
【００２７】
ヘッドセット２００およびスマートフォン３００を用いて、アーティストまたは別の指示対象が、ヘッドセット内に統合されている専用プロセッサ２１０によって実施されるさまざまなオーディオ再生プリセットを選ぶことによって、作品を聴く。
【００２８】
「再生プリセット」は、イコライゼーションプリセット（低音域、中音域、高音域など）、およびサウンドエフェクトプリセット（スペーシャライゼーション、リバーブレーション、ディレイ、コンプレッション、アクセンチュエーションなど）を含むことができるが、それらには限定されず、これらのさまざまなエフェクトは、それ自体知られている。
【００２９】
このプリセットの作成は、ユーザインターフェースを用いて、好ましくはタッチスクリーンを用いて実行され、タッチスクリーンでは、仮想カーソル、ロータリーノブなどが、所望のプリセットを得るためにユーザによって作動される。
【００３０】
変形としては、プリセットをユーザ自身で作成することよりもむしろ、アーティストが、（場合によっては、サーバ１００からプリセットがダウンロードされた後に）ユーザのスマート端末内に、またはユーザのオーディオヘッドセット内に記憶されている既存のプリセットを連続して適用して、最も適切であるとわかったプリセットを選ぶことができる。
【００３１】
別の変形は、混合型のアプローチとすることができ、この場合、基本的なプリセットがアーティストに提示され、アーティストがそれらのプリセットに手を加える。
【００３２】
アーティストは、さまざまな再生プリセットを伴って（事前選択の中から、または再生パラメータの作動によって自分自身で実行したプリセットを伴って）作品またはその作品の一部を聴いた後に、自分の端末３００のユーザインターフェースを使用し、それにより、（作成または選択によって）得られたプリセットは、ユーザによって利用可能になるように、その作品のデータ特徴に、優先的にその作品のメタデータのうちのすべてまたは一部に関連付けられているサーバへ送信される。
【００３３】
アーティストによって作成されたまたは選ばれた所与のプリセットは、単一の作品もしくはトラックに、または作品のセット（たとえば、１枚のアルバムの複数のトラック、もしくはそのアーティストの複数の作品）に、またはその作品が属している音楽スタイルに、といった具合に適用されることが可能であるということに、ここで気づかれるであろう。
【００３４】
その上、本発明のシステムは、アーティストまたは指示対象がプリセットをその他のアーティストの作品に割り当てることを可能にする。
【００３５】
次いで、上述されているように、サーバにおいて作成されて記憶されているプリセットが、端末５００などのユーザスマート端末へダウンロードされて、以降で詳細にわかるように、関連付けられているオーディオヘッドセット４００内に提供されているプリセットメモリへ転送されることが可能である。
【００３６】
スマート端末５００によってプレイするためにオーディオファイルをユーザによって選択したときに、このユーザは、
−  その端末のスクリーン上に表示されている提案されたプリセットのリストからプリセットを（それ自体知られている様式で）手動で選択すること、
−  または（本発明の特徴として）、自分が自動割り当てを選んだケースにおいては、アーティストによってファイルに割り当てられたプリセットをシステムに（このケースにおいては、以降でさらに詳細に説明されることになるオーディオヘッドセット４００に）選択させることが可能である。
【００３７】
本発明による、プリセットのこの自動選択モードは、典型的には、端末５００とオーディオヘッドセット４００との間におけるブルートゥースリンクを介して、ここにＡ２ＤＰ（Ａｄｖａｎｃｅｄ  Ａｕｄｉｏ  Ｄｉｓｔｒｉｂｕｔｉｏｎ  Ｂｌｕｅｔｏｏｔｈ  Ｐｒｏｆｉｌｅ）を活用することによって音楽を聴いている最中に実施されることが可能である。その目的のために、このシステムは、関連付けられているプリセットの選択を実行することを可能にする、再生が進行中であるトラックに関連している「タグ」情報またはマーカ（メタデータ）（タイトル、アーティスト、アルバム、スタイルなど）を収集してオーディオヘッドセット４００に通信するためのＡＶＲＣＰ（Ａｕｄｉｏ−Ｖｉｄｅｏ  Ｒｅｍｏｔｅ  Ｃｏｎｔｒｏｌ  Ｐｒｏｆｉｌｅ）を使用する。
【００３８】
変形として、たとえば、アップル社によって提示されているアプリ内購入機能などの統合された購入機能を介してそのようなメタデータを収集して送信するためのその他の手段が使用されることが可能である。
【００３９】
次いで図２を参照して、本発明の実施を可能にするスマート端末側およびオーディオヘッドセット側の電子アーキテクチャーについて説明する。
【００４０】
このスマート端末は、図１のユーザ端末５００である。このスマート端末は、この端末のメディアのパイル５２０と連携する、たとえば、ＭＰ３、ＡＡＣ、ＷＭＡフォーマットなどのオーディオファイルをプレイするためのプレーヤ５１０を、それ自体知られている様式で含む。
【００４１】
ブルートゥースパイル５３０が、メディアのパイル５２０と通信状態にあり、端末の電子カード５４０上に提供されているブルートゥースコンポーネントまたはチップ５４２との間でデータをやり取りする。
【００４２】
端末のプロセッサによって実行されるオーディオプリセット管理プログラム５５０が、ユーザインターフェース５５２と、通信プロトコル５５４と、ブルートゥースパイル５３０と通信状態にあるアプリケーションプログラミングインターフェース（ＡＰＩ）５５６とを含む。
【００４３】
オーディオヘッドセット４００は、とりわけ、ブルートゥースチップまたはコンポーネント４４２と、再生されることになるオーディオフローの処理（デジタル／アナログ変換および増幅を含む）を行うことを意図されているデジタルシグナルプロセッサまたはＤＳＰ４４４と、トランスデューサ４４６と、を備えたハードウェア部分４４０を、自分の部分として含む。
【００４４】
プロセッサ４４４は、オーディオコアまたはカーネル４２０から、イコライゼーションコアまたはカーネル４２２、スペーシャライゼーションコアまたはカーネル４２４、およびプレーヤ管理コアまたはカーネル４２６を通じて操縦される。
【００４５】
ブルートゥースパイル４３０がブルートゥースチップ４４２との間でデータをやり取りしている状態で、オーディオプリセットコアまたはカーネル４５０が、通信プロトコル４３４と通信する。
【００４６】
このコア４５０は、データ処理コア４６２とプリセットファイル４６４とを含む、たとえばＳＱＬｉｔｅ（登録商標）フォーマットでのデータベース４６０と連携する。
【００４７】
コア４５０は、プリセットをデータベース４６０内に挿入するためのサブプログラム４５２と、プリセットをデータベースから収集するためのサブプログラム４５４と、を含む。
【００４８】
スマート端末のブルートゥースチップ５４２、およびオーディオヘッドセットのブルートゥースチップ４４２は、Ａ２ＤＰ（Ａｄｖａｎｃｅｄ  Ａｕｄｉｏ  Ｄｉｓｔｒｉｂｕｔｉｏｎ  Ｂｌｕｅｔｏｏｔｈ  Ｐｒｏｆｉｌｅ）、ＡＶＲＣＰ（Ａｕｄｉｏ−Ｖｉｄｅｏ  Ｒｅｍｏｔｅ  Ｃｏｎｔｒｏｌ  Ｂｌｕｅｔｏｏｔｈ  Ｐｒｏｆｉｌｅ）（リリース１．３以降）を通じて、そして最終的にはＲＦＣＯＭＭ（Ｒａｄｉｏ  Ｆｒｅｑｕｅｎｃｙ  ＣＯＭＭｕｎｉｃａｔｉｏｎ）サービスによって、互いに通信する。
【００４９】
サウンド再生プリセットをヘッドセット５００に送信するための、スマート端末４００とヘッドセット５００との間における連携は、下記の態様を含む。
−  ユーザが、オーディオプリセットを作成するために、またはオーディオプリセットをプリセットサーバ１００からダウンロードするために、そしてそのオーディオプリセットをスマート端末内に記憶するために、オーディオプリセット管理プログラム５５０のユーザインターフェース５５２を実施する。
−  次いでプログラム５５０は、そのプリセットをスマート端末のブルートゥースパイル５３０へ送信することができる（矢印Ｆ１）。
−  次いでこのプリセットは、好ましくは、ＲＦＣＯＭＭブルートゥーストランスポートサービス上の特注プロトコルを使用してオーディオヘッドセット４００へ送信される（矢印Ｆ２およびＦ３）。
−  プリセットコア４５０によって受信されたプリセットは、サブプログラム４５２を用いてデータベース４６０内にロードされる（矢印Ｆ４）。
【００５０】
オーディオトラックまたはファイルのプレイ中に、
−  スマート端末のメディアプレーヤ５１０は、プレイする用意が整っているトラックのメタデータまたは「タグ」マーカを前記端末のメディアのパイル５２０へ送信する（矢印Ｆ５）。
−  スマート端末５００は、そのメタデータを、ＡＶＲＣＰプロファイルを介してオーディオヘッドセット４００へ送信する（矢印Ｆ６、Ｆ７、Ｆ８、およびＦ９）。
−  プリセットコア４５０は、受信されたメタデータに対応するプリセットを探してデータベース４６０内を検索する（要求Ｆ１０）。
プリセット検索基準は、（そのプリセットを作成したアーティストまたは指示対象の選択で）トラック、アルバム、アーティスト、スタイルなどを表す識別子であることが可能であり、その情報はすべて、プレイされることになるオーディオファイルに関連付けられているメタデータ内に含まれるということが、ここで想起される。
−  データベース４６０がプリセットを見つけ出した場合には、プリセットコア４５０は、そのプリセットをオーディオコア４２０へ送信する（矢印Ｆ１１およびＦ１２）。
プリセットがまったく見つからなかった場合には、デフォルトのプリセットが使用される。
−  オーディオコア４２０は、このプリセットを適用し、それによって、このプリセットは、プロセッサ４４４によってコア４２２および４２４を介してサウンドフローに割り当てられる（矢印Ｆ１３、Ｆ１４、Ｆ１５、Ｆ１６）。
−  最後にオーディオフローが、プレーヤ５１０によって放出され、Ａ２ＤＰブルートゥースプロファイルを介してオーディオヘッドセット４００へ送信されて（矢印Ｆ１７〜Ｆ２３）、プロセッサ４４０に達し、プロセッサ４４０では、上述のように選択された再生プリセットに従ったエフェクトが、そのフローに適用され、そのフローが再生される。
【００５１】
このアーキテクチャーは、サウンドトラックに割り当てられるプリセットを、データベース４６０を用いてメタデータまたは「タグ」マーカを介して選択することを可能にするということがわかる。
【００５２】
オーディオヘッドセット４００内にプリセットを記憶することは、ある作品のプレイと、次の作品のプレイとの間において移行するときにプリセットを変更するケースにおいて最適な反応性を保証することを可能にし、スマート端末と、ヘッドセットとの間におけるプリセットの送信は不要であり（なぜなら、プリセットを記憶して、それらの「スマートな」選択を自動的に保証するのは、ヘッドセットであるためである）、オーディオファイルのメタデータまたは「タグ」マーカのみが送信されるということが、ここで気づかれるであろう。
【００５３】
しかしながら本発明は、ＲＦＣＯＭＭサービスを介して作品のプレイ前にプリセットを動的に送信することを伴って実施されることが可能である。変形として、プリセットをオーディオファイルのメタデータ内にカプセル化することが提供されることも可能である。
【００５４】
アーティスト端末３００におけるプリセットの作成は、プリセット管理プログラムを用いて実行され、そのプリセット管理プログラムは、ユーザ端末のプリセット管理プログラムと同じであることが可能であり、または専用のプログラム内に存在する。したがって、アーティストは、所与のデータに関連付けられている特定のプリセットを作成することができ、プログラム５５０は、これらのプリセットを、これらのプリセットが選ばれた対象の作品のメタデータに関連付けて、プリセットサーバ１００へ送信するための手段を含む。したがって、アーティストによって提示されたプリセットは、ユーザによって後ほど、または動的に、作品のプレイに先立って復元されることが可能である。
【００５５】
第１のケースにおいては、ユーザスマート端末５００は、インターネットを介したプリセットサーバ１００とのセッションを開き、端末５００内に記憶されている自動ファイルのメタデータをスキャンして、最後のセッションから、アーティストによって利用可能にされたプリセットの新たなデータをダウンロードし、上述されている統合されたプリセットデータベースを伴う実施態様においては、これらの新たなプリセットをデータベース４６０へ送信する。
【００５６】
第２のケースにおいては、端末５００は、それぞれのプレイの前にプリセットサーバ１００をチェックして、プレイ用に選ばれた作品のメタデータに対応するプリセットをダウンロードする（通信の問題があるケースにおいては、デフォルトのプリセットが適用される）。
【００５７】
変形として、サーバは、本発明のシステムを実装しているスマート端末のユーザに対して、ユーザの端末内に格納されているオーディオファイルにとって利用可能な新たなプリセットの存在をユーザに知らせるための通知を「プッシュ」方式で送信することができる。
【００５８】
さらに別の変形によれば、プリセット更新プロセスが自動化されることが可能である。
【００５９】
本発明は、同じまたは同様のオーディオヘッドセットをコミュニティーが備えるとすぐに、それらが共通のプリセットに応答して同じ様式でサウンドを再生することができるという点において、用途を見出す。したがって再生チェーンは、十分にコントロールされる。
【００６０】
もちろん、本発明は、上述の実施形態および変形には限定されず、当業者なら、自分の一般的な知識を頼りに多くの適合形態を作成することができるであろう。詳細には、
−  当業者なら、本発明を、端末５００内に記憶されて要望に応じてプレイされる自動ファイルからではなく、ストリーミングでの、すなわち、サーバ自体においてプレイされているオーディオコンテンツのサーバからのフローとしてのサウンド再生に適合させることができるであろう。
−  複数のアーティストまたは指示対象が、同じ作品（または同じアルバムなど）に関して別々のプリセットを提示したケースにおいては、ユーザインターフェース、または適切な高度な選択プログラムが、使用されることになるプリセットを選択することを可能にするであろう。
【図１】
2016071375.tif 000003
【図２】
2016071375.tif 000004
【外国語明細書】
2016071375000001.pdf